Podtech/llm-jp-corpus-v4-ja_patent huggingface dataset:
(57)【要約】      （修正有）【課題】模型等の演出のために設置する照明装置において、複数の照明装置を個別に点灯／消灯制御でき、点灯／消灯スイッチ等を模型自体から離すことができる照明制御装置を提供する。【解決手段】プリント基板に無線制御用の周辺回路や周辺部品とともに実装したコンピュータ４と、ソフトウエアとにより、コンピューターに接続した複数の照明装置１を個別に点灯／消灯可能にする。コンピュータと接続した無線制御信号受信器５と無線制御信号発信機８により遠隔からその制御を行い、手軽に模型等の演出を行えるようにする。【選択図】図１
0003227537.tif 000002
【実用新案登録請求の範囲】
【請求項１】
模型等の演出のために模型等に設置した照明装置を制御するための制御装置であり、一つまたは複数の照明装置および、無線制御信号受信機をコンピュータに接続できるように設計された回路をプリント基板上に再現し、コンピュータおよび周辺部品を基板上に実装し、制御ソフトウエアを記録した一体の装置とすることで、広く一般の方にも安易に利用できるようしたことを特徴とした模型等演出用照明制御装置。
【請求項２】
請求項１の装置を非常に小型な装置として実現し、模型等の内部空間が狭いものにも容易に設置できることを特徴とした模型等演出用照明制御装置。
【請求項３】
請求項１の装置とは接続されていない遠隔制御信号発信機よりこの装置を制御できる事で、遠隔操作を可能とすることを特徴とした模型等演出用照明制御装置。
【考案の詳細な説明】
【技術分野】
【０００１】
本考案は、模型等の演出のための、複数の照明装置を遠隔から個別に操作可能な装置を小型に実現し、模型等の内部空間が小さいものにも容易に設置できるようにしたものである。
【背景技術】
【０００２】
模型などにおいて現実感を演出するために実際に点灯する照明装置を設置する場合がある。
たとえば自動車模型のヘッドライトやウインカー、建物模型の部屋の明かりなどである。
【０００３】
しかし一つの模型等に複数の照明を設置したとしても、全体のオン/オフを模型に取り付けた一つのスイッチで行う程度のことしかできなかった。
【０００４】
もしくは、模型等から配線を外部に出し、外部に別途設けたスイッチ類にて制御する必要があった。
【０００５】
しかしそれでは可搬性に乏しくまた、演出面でも不満の多いものであった。
【０００６】
また照明装置を点滅させたい場合などは、複雑な電気回路が必要であるか、コンピュータを使って制御プログラムを作成する必要があったが、一般的には困難であり、たとえ作成することができても大型化する傾向にあり、模型等に設置することは無理である。
【考案の概要】
【考案が解決しようとする課題】
【０００７】
解決しようとする問題点は、設置した複数の照明装置の個別の点灯/消灯の制御ができない点。
【０００８】
照明装置の点灯/消灯の制御が模型自体から離せない点。
【０００９】
照明装置の点滅が容易には行えない点。
【００１０】
たとえ制御装置などを手作りで制作したとしても小型化が難しく、模型内部に設置できない点。
【課題を解決するための手段】
【００１１】
本考案は、照明装置の制御装置としてコンピュータハードウエアおよびソフトウエアとこれらを遠隔操作する無線制御装置を使用する。
【考案の効果】
【００１２】
本考案は、コンピュータハードウエアとソフトウエアを使って複数の照明装置を個別に点灯/消灯制御できる利点。
【００１３】
コンピュータハードウエアとソフトウエアを使って照明装置を容易に点滅させることができる利点。
【００１４】
照明装置の点滅間隔を制御信号に応じて増減できる利点。
【００１５】
無線による遠隔からの制御装置の制御を行えるという利点。
【００１６】
装置全体を非常に小型にすることで容易に模型等の内部に設置できる利点。
【図面の簡単な説明】
【００１７】
【図１】図1はこの考案の全体概略図である。
【図２】図２は無線制御信号発信機である。
【考案を実施するための形態】
【００１８】
コンピュータには１つまたは複数の照明装置が接続端子を介して接続されている。またコンピュータには無線制御信号受信機も接続されており、ソフトウエアにより制御されている。これらは電源からの電力で駆動されている。これらとは別に無線制御信号発信機がある。
【００１９】
無線制御信号発信機には複数のボタンがあり、特定のボタンを押すことで特定の無線制御信号が発せられ、それを受信した無線制御信号受信機およびコンピュータがボタンに対応した照明装置の点灯/消灯または点滅を行う。
【００２０】
また無線制御信号発信機の点滅間隔増減ボタンを押すことで、その制御信号を受信したコンピュータが点滅の間隔を増減させる。さらに増減した値をコンピュータ内部の不揮発メモリに記録することで、電源を切っても増減値は消えることがない。
【実施例】
【００２１】
図１は本考案の全体概略図である。
【００２２】
１の照明装置が１つまたは複数、2の配線によって4のコンピュータに接続されている。４のコンピュータには５の無線制御信号受信機も接続されており、全体を6の電源装置の電力にて駆動している。
【００２３】
システム全体の小型化のために4のコンピュータはワンチップマイコン、たとえばMicrochip Technology Inc.のPIC16Fシリーズ等を利用する。またコンピュータおよび周辺回路に必要な抵抗やコンデンサなども表面実装用の小型のものを使用し、さらにプリント基板を使用することで可能な限り小型化を行う。
【００２４】
また8の無線制御信号発信機は無線による制御なので、上記とは物理的に切り離されている。
【００２５】
７は無線による制御信号をあらわしており、これは赤外線、ブルートゥース（登録商標）、WiFiなどが利用できる。
【００２６】
図2は無線制御信号発信機の制御ボタンを表しており、たとえば9のAボタンを押すことで１の照明装置が点灯し、再度同じボタンを押すことで1の照明装置が消灯するなどの制御が可能になっている。複数あるボタンはそれぞれ別の照明装置を点灯/消灯することが可能になっている。
【符号の説明】
【００２７】
1  照明装置
2  照明装置と制御装置間の配線
3  制御装置
4  制御用コンピュータハードウエア
5  無線制御信号受信機
6  電源装置
7  無線制御信号
8  無線制御信号発信機
9  制御ボタン
【図１】
0003227537.tif 000003
【図２】
0003227537.tif 000004
(57)【要約】      （修正有）【課題】卓球ラケット型の軟質ボードに各種のパーツを設け、ゴルフのパッティング時のパターグリップの握り方を上達させるパッティング練習用の補助グリップを提供する。【解決手段】卓球ラケット型の軟質ボードに装着基準ライン１本、および両端に直径約６ｍｍの穴１ｅを設けた５本の切り込み１ｆ、１ｇを縦に平行に設けた補助グリップであって、パターフェイスの向きとパッティング補助グリップの面を平行にしてパターグリップを５本の切り込みに差し込む。パッティング補助グリップを両手で挟んだパッティング練習で両手の向きはパターフェイスと平行になり、ボールはパターフェイスの向きに直角に打ち出され正確なパッティングが出来、人間の腕と手の骨格に合った理想的なパッティングのグリップの握り方の体得に役立つ。【選択図】図１
0003227600.tif 000002
【実用新案登録請求の範囲】
【請求項１】
縦約２３０ｍｍ×横約１８０ｍｍ×厚さ約２ｍｍで卓球ラケット型の軟質ボードに装着基準ライン１本を印刷、両端に直径約６ｍｍ穴を設けた５本の切り込みを縦に平行に設け、ゴルフのパッティングの際の両手の向きを安定させるパッティング練習用の補助グリップ
【考案の詳細な説明】
【技術分野】
【０００１】本考案は、ゴルフのパッティング練習時に使用する卓球ラケット型の軟質ボードに装着基準ライン１本を印刷、両端に直径約６ｍｍ穴を設けた５本の切り込みを縦に平行に設けた、パッティングの補助グリップに関する。
【背景技術】
【０００２】ゴルフのパッティング練習をする場合、通常は市販の器具などで練習している。
【考案の概要】
【考案が解決しようとする課題】
【０００３】ゴルフのパッティングを正確に行うにはパターグリップを握る両手の向きとパターフェイスの向きを平行にする事が有効である。しかし、市販の練習器具は、パターフェイスとパターグリップを握る両手の向きを平行に意識させるものが無くパッティングのストロークの根源であるグリップの握り方を制御出来ない。
【課題を解決するための手段】
【０００４】本考案は、縦約２３０ｍｍ×横約１８０ｍｍ×厚さ約２ｍｍで卓球ラケット型の軟質ボードに装着基準ライン１本を印刷、両端に直径約６ｍｍ穴を設けた５本の切り込みを縦に平行に設け、パターグリップ幅の中心と印刷された装着基準ラインを合わせてパターフェイスの向きとパッティング補助グリップの面を平行にして５本の切り込みにパターグリップを交互に差し込みパッティング補助グリップを両手で挟んでパッティング練習をする事で両手の向きはパターフェイスに平行になりパッティング練習の際、ボールはパターフェイスの向きに直角に打ち出され両手の向きが制御され人間の腕と手の骨格に合った理想的なパッティングのグリップの握り方の体得に役立つ。
【考案の効果】
【０００５】上述の様に本考案のパッティング補助グリップは、パターフェイスの向きとパッティング補助グリップの面が平行なパターグリップの握り方が体得出来る。
【図面の簡単な説明】
【０００６】
【図１】本考案のパッティング補助グリップの正面図である。
【図２】本考案のパッティング補助グリップの装着図である。
【考案を実施するための形態】
【０００７】胴体長１ａ約２３０ｍｍ×胴体幅１ｂ約１８０ｍｍ、１ｃ装着基準ライン、１ｄ本体厚さ約２ｍｍ、１ｅ切込み両端穴直径約６ｍｍ、１ｆ１段目と４段目切込み、１ｇ２段目と３段目切込み、１ｈ５段目切込みを設けたパッティング補助グリップ１は、パターフェイスの向きとパッティング補助グリップの面を平行にして５本の切り込みにパターグリップを交互に差し込みパッティング補助グリップを両手で挟んでパッティング練習をする事でパターフェイスと両手の向きが平行なグリップの握り方が身に付きパターフェイスに直角にボールを打ち出す正確なストロークの両手の向きを体得させる形状。
【符号の説明】
【０００８】１    パッティング補助グリップ本体
１ａ  胴体長
１ｂ  胴体幅
１ｃ  装着基準ライン
１ｄ  本体厚さ
１ｅ  切込み両端穴
１ｆ  １段目と４段目切込み
１ｇ  ２段目と３段目切込み
１ｈ  ５段目切込み
２    市販パター
２ａ  装着時の拡大図
【図１】
0003227600.tif 000003
【図２】
0003227600.tif 000004
(57)【要約】      （修正有）【課題】喉に詰まらせる事故を軽減するための、コンニャク状菓子を食べやすくするポンプ容器を提供する。【解決手段】底に複数の穴のあいた筒状の外側容器１と、外側容器に差し込んだ時、外側容器底の穴に対応して先端に複数の凸状の突起４がある中筒２で構成される。外側容器に中筒を差し込んで、外側容器上部に設けられた外筒縁６と、中筒に設けられた中筒縁７を指で挟んで、外側容器に中筒を押し込むことで、ポンプの役目を果たすようにしたもので、こんにゃく状の食品を外側容器に入れて、中筒を押し込む圧力によって、外側容器の複数の穴３より、こんにゃく状食品の結合組織を分断させ、外側容器穴に中筒の凸状の突起を勘合させて、コンニャク状菓子を短冊状の細い状態にして押し出すことを可能とした。【選択図】図１
0003227599.tif 000002
【実用新案登録請求の範囲】
【請求項１】
底に複数の穴のあいた筒状の外側容器と、外側容器に差し込んだ時、外側容器底の穴に対応して先端に複数の凸状の突起がある中筒で構成され、外側容器に中筒を差し込んで、外側容器上部に設けられた外筒縁６と、中筒に設けられた中筒縁７を指で挟んで、外側容器に中筒を押し込むことで、ポンプの役目を果たすようにしたもので、こんにゃく状の食品を外側容器に入れて、中筒を押し込む圧力によって、外側容器の複数の穴より、こんにゃく状食品の結合組織を分断させ、外側容器穴に中筒の凸状部が勘合させて、完全にコンニャク状菓子を短冊状の細い状態にして押し出すことを可能とした、コンニャク状菓子を食べやすくするポンプ容器
【考案の詳細な説明】
【技術分野】
【０００１】  本考案は、弾力があるコンニャク様の触感のゼリー状の菓子などの食品を子供や老人に食べやすくするための工夫に関するものである。
【背景技術】
【０００２】  従来、コンニャクのような触感、歯ごたえがある菓子や食品がある。
【先行技術文献】
【０００３】
【実用新案文献】
トコロテン突きをより使いやすく進化させた商品
【考案の概要】
【考案が解決しようとする課題】
【０００４】  従来市販されている、コンニャクのような触感、歯ごたえがある菓子があるが、これらは、子供や特に幼児、また老人といった、咀嚼力が弱い人たちには、飲みこむに充分な咀嚼ができない状態で飲みこむことが多々あり、そのために、往々にして喉に詰まらせるといった事故が発生する。
【課題を解決するための手段】
【０００５】  本考案は、上記問題を解決するために、筒状の外側と、その筒状の中に納まる中筒を一組として、ポンプの役目をさせるもので、外筒の中にコンニャク状食品を入れ、中筒を押し込むことで、ポンプ作用によって圧力を加え、コンニャク状食品を細いうどん状に分解して押し出して、食べやすくする。
【考案の効果】
【０００６】  コンニャク状食品を細かいうどん状にすることによって、塊状の食品を分断して押し出し食することにより、喉に詰まらせたりしやすい、幼児、老人が安心して食べることができるので、食べにくさによる事故を軽減できる。
【図面の簡単な説明】
【０００７】
【図１】外筒と中筒の構成を表す
【図２】外筒の穴の開いた底から見た図である
【図３】外筒の中にコンニャク状菓子を入れ、中に中筒を差し込んだ状態の参考断面図
【図４】指で縁を挟んで外筒の中に中筒を押し込んだ状態
【図５】コンニャク状菓子を押し出している途中を示す
【図６】コンニャク状菓子を完全に押し出した状態
【図７】外筒の中に中筒を完全に押し込んだ状態の参考断面図
【図８】葛餅などの大型菓子などに使用する場合の形状参考
【考案を実施するための形態】
【０００８】  図１は外筒１に中筒２を差し込む前の状況であるが、図で示すように、コンニャク状菓子を入れると図３に示す程度の大きさの、底に複数の穴３が開いた外筒１と、外筒の上部より差し込んでポンプのように圧力を加えるための中筒１とで構成される。
【０００９】  外筒１の上部は中筒２を差し込む作業を容易にするために、開口部を少し広くした空間５設けた形状にし、上部開口部先端は、指を添えるための外筒縁６が設けられている。
【００１０】  中筒２は圧力を加える先端平面に、外筒１の穴３の位置に対応して、外筒１に完全に押し込んだ状態において、外筒１の外面より３ミリほど外側に突出するような凸状の突起４が設けられている。
【００１１】  ポンプの役目をする中筒２の上部には、外筒１と同じく、指を添えるための中筒縁７が設けられている。
【００１２】  外筒１の筐体断面形状は、中筒２を押し込んだ時に、外筒１の穴３の位置にずれないように対応して中筒２の突起４がはまるようにするために楕円形状にしてあり、同じく筐体本体の断面が外筒１にぴったりと合う形状に中筒２も楕円形状としてある。
【００１３】  上記説明のように断面形状を楕円にして外筒１と中筒２を勘合するようにしてあるがこれを楕円形状とせずに円形状として、縦にガイドを設けて位置設定をさせようにしてもよい。
【００１４】  また、円筒状にせずに図８に示すような矩形断面状でも同等の効果が得られる。
【実施例１】
【００１５】  まず、外筒１の中にコンニャク状菓子８を入れる。【００１６】  次に外筒１の開口部より、突起４がある側を下にして中筒２を差し入れる。【００１７】  外筒２の開口部の中筒１を差し込みやすく設けられた空間５を通過して中筒２を押し込んだ後、外筒縁６と中筒縁７を指で挟むようにしてコンニャク菓子８に圧力を加えていき、コンニャク菓子を穴３より外に押し出す。【００１８】  上記操作により、コンニャク菓子の本体組織結合が、うどん状に分断され、中筒の突起４が外筒の穴３より突出することで完全に外に押し出される。
【産業上の利用可能性】
【００１９】  通常コンニャク状菓子は菓子の性質上、ある程度コシがあるように作られているので、菓子の結合組織を分断することで、幼児、老人などの咀嚼力の弱い人にも、喉に詰まらせるなどをしにくくして安心して食べることを可能にする。【００２０】  トコロテンや、ゼリー状の大型の同様な食べ物にも図８のようなもので対応が可能である。
【符合の説明】
【００２１】１    外筒
２    中筒
３    穴３
４    突起
５    空間
６    外筒縁
７    中筒縁
８    コンニャク菓子
８ａ  コンニャク菓子
【図１】
0003227599.tif 000003
【図２】
0003227599.tif 000004
【図３】
0003227599.tif 000005
【図４】
0003227599.tif 000006
【図５】
0003227599.tif 000007
【図６】
0003227599.tif 000008
【図７】
0003227599.tif 000009
【図８】
0003227599.tif 000010
(57)【要約】      （修正有）【課題】押しボタンなどを衛生的に操作することができる衛生リングを提供する。【解決手段】衛生リング１００は、リング部１１０と、リング部１１０の外周の一部から外側へと突出した突出部１２０と、リング部１１０の外周の、上記一部とは逆側の一部に設けられ、外側に張り出し、穴が開けられた張り出し部１３０と、を備える。【選択図】図１
0003227569.tif 000002
【実用新案登録請求の範囲】
【請求項１】
リング部と、
前記リング部の外周の一部から外側へと突出した突出部と、
前記リング部の外周の、前記一部とは逆側の一部に設けられ、外側に張り出し、貫通穴が開けられた張り出し部と、
を備えたことを特徴とする衛生リング。
【考案の詳細な説明】
【技術分野】
【０００１】
本発明は、衛生リングに関する。
【背景技術】
【０００２】
従来、装身具としてのリングが知られている（例えば特許文献１参照）。
【先行技術文献】
【特許文献】
【０００３】
【特許文献１】実登３２２４１８０号公報
【考案の概要】
【考案が解決しようとする課題】
【０００４】
近年、感染症の流行に伴い、外出時に手指で押ボタンなどに触れることを避ける工夫が望まれている。冬期であれば手袋を付けることも可能であるが、夏期には困難である。
本考案は、押しボタンなどを衛生的に操作することができるリングを提供することを目的とする。
【課題を解決するための手段】
【０００５】
上記目的を達成する本考案の衛生リングは、
リング部と、
上記リング部の外周の一部から外側へと突出した突出部と、
上記リング部の外周の、上記一部とは逆側の一部に設けられ、外側に張り出し、穴が開けられた張り出し部と、
を備えたことを特徴とする。
【０００６】
このような衛生リングによれば、突出部を用いることで、手指を押しボタンなどに接触させること無く操作することができ、衛生的な操作が可能である。また、張り出し部の穴にひもなどを通すことで、不要時には首などに掛けて携帯することもできる。
【考案の効果】
【０００７】
本考案の衛生リングによれば、押しボタンなどを衛生的に操作することができる。
【図面の簡単な説明】
【０００８】
【図１】本考案の衛生リングの実施形態を示す上面図である。
【図２】本考案の衛生リングの実施形態を示す斜視図である。
【考案を実施するための形態】
【０００９】
本考案の実施形態について以下図面を参照して説明する。
図１は、本考案の衛生リングの実施形態を示す上面図であり、図２は、本考案の衛生リングの実施形態を示す斜視図である。
本実施形態の衛生リング１００は、リング部１１０と、突出部１２０と、張り出し部１３０とを備えている。突出部１２０と張り出し部１３０は、リング部１１０に対して互いに逆向きに位置する。
【００１０】
衛生リング１００は抗菌剤入りの樹脂でリング部１１０と突出部１２０と張り出し部１３０が一体的に形成されている。
ユーザは、突出部１２０を手の甲側に向けてリング部１１０に指を通して衛生リング１００を装着し、突出部１２０の先端で押しボタンなどを操作することができる。衛生的な操作のため、突出部１２０はリング部１１０の外周から十分な大きさに突出している。本実施形態では、突出部１２０が山形に突出しているが、突出部１２０は錐状や錐台状に突出してもよい。
突出部１２０が山形であると、押しボタンなどとの接触面積が小さいのでより衛生的であること、押しボタンに対してある程度角度が傾いても操作感が変わらないこと、先端部分の耐久性が高いこと等の利点がある。
【００１１】
張り出し部１３０は、リング部１１０の外周に沿って略板状に延びて外周から張り出しており、張り出し部１３０には、リング部１１０との境目付近に穴１３１が開いている。この穴１３１にひもなどを通すことで、衛生リング１００を首などに掛けて携帯することができる。
リング部１１０に直接ひもを通すと、リング部１１０に指を通す際に邪魔になる。張り出し部１３０の穴１３１にひもを通すことで携帯時における突出部１２０の向きが定まるので、装着時に手指が突出部１２０に接触することを避けながら衛生的に装着することが容易となる。
【符号の説明】
【００１２】
１００    衛生リング
１１０    リング部
１２０    突出部
１３０    張り出し部
【図１】
0003227569.tif 000003
【図２】
0003227569.tif 000004
(57)【要約】      （修正有）【課題】個々の空間が遮断され、主菜や副菜などの食材の混在を防ぎ、また、食材にかかるソースなどが必要以上に浸ることを防ぎ、さらに、効果的な収納が可能な皿を提供する。【解決手段】平面空間を複数に遮断した皿１の中央部を底面から少し盛り上げて空間遮断線２を設け、平面空間を遮断できる程度に底面から少しの盛り上がりを設けることで、個々の空間を遮断し、内容物の混在を防ぎ、また、中央部から緩やかに傾斜になっていることで、食材にかかるソースなどを必要以上に浸ることを防ぐ。さらに、個々の空間が複数に遮断していることで、平面の皿よりも皿同士の密着がよく効果的に収納できる。【選択図】図１
0003227553.tif 000002
【実用新案登録請求の範囲】
【請求項１】
皿の中央部を少し盛り上げることで、個々の空間を遮断し、内容物の混在を防ぎ、また、好みにより混在することができることを特徴とする皿。
【考案の詳細な説明】
【技術分野】
【０００１】  本考案は、皿の中央部を少し盛り上げ、平面空間を個々に遮断した皿に関するものである。
【背景技術】
【０００２】  レストラン等の飲食店を訪れ食事を提供された場合、主菜と副菜が１つの際に盛り付けられて提供されることが多く、味が混同していることがほとんどであり、主菜や副菜それぞれの食材の味を味わうことができず不満を感じていた。
【先行技術文献】
【特許文献】
【０００３】
【特許文献１】特開２０１０−２８４２８９
【考案の概要】
【考案が解決しようとする課題】
【０００４】  個々の空間が遮断されていない皿では、主菜や副菜が混在し、ソースも混ざり合うなど食材そのものの味を楽しむことができなかった。従って、皿の中心部を少し盛り上げる工夫を設けることで、個々の内容物が混ざり合うことなく、必要以上のソースも食材に浸り続けることもない。また保管の際も中心部が盛り上がり、個々の空間が遮断されていることで、皿同士を重ねて収納することも容易である。
【課題を解決するための手段】
【０００５】  本考案は、皿の中央部を少し盛り上げることで、個々の空間を遮断し、内容物の混在を防ぎ、また、中央部から緩やかに傾斜になっていることで、食材にかかるソースなどを必要以上に浸ることを防ぐ効果もある。さらに、中央部を少し盛り上げていることで、平面の皿よりも皿同士の密着がよく効果的な収納することが可能となる。
【考案の効果】
【０００６】  上述のように、本考案は、底面より少し盛り上がっていることで、個々の空間が遮断され、主菜や副菜などの食材の混在を防ぎまた、中央部から側面へ緩やかに傾斜になっていることで、食材にかかるソースなどが必要以上に浸ることを防ぐ効果がある。さらに、中央部が少し盛り上がっていることで、平面の皿よりも皿同士の密着がよく効果的な収納が可能である。
【図面の簡単な説明】
【０００７】
【図１】本考案の平面空間を遮断した皿の正面図
【図２】本考案の平面空間を遮断した皿の側面図
【考案を実施するための形態】
【０００８】  皿の底面より中央部を少し盛り上げることで、個々の空間を複数に遮断し、内容物の混在を防ぎ、また、中央部が底面より少し盛り上がっていることや中央部から側面へ緩やかに傾斜になっていることで、内容物が食材である場合、その食材にかかるソースなどが必要以上に浸ることを防いでいる。さらに、中央部が少し盛り上がり、空間が遮断されていることで、平面の皿よりも皿同士の密着がよく効果的な収納を可能としている。
【実施例】
【０００９】  平面の皿では、主菜や副菜が混在し、ソースも混ざり合うなど食材そのものの味を楽しむことができないが、本考案は、皿の底面を少し盛り、複数に空間を遮断することで、主菜と副菜各々の食材のよさを感じながら食事を楽しむことが可能となっている。また、底面を少し盛り上げていることや側面に向かって緩やかな傾斜となっていることから、食材にかかるソースなどが必要以上に浸ることを防ぐ効果がある。さらに、底面から少し盛り上がりがあること、個々の空間が遮断されていることにより、平面の皿よりも皿同士の密着がよく重ねて収納することが容易となっている。
【産業上の利用可能性】
【００１０】  上述のように本考案は、皿の底面を少し盛り上げ中央部から側面に向かって緩やかな傾斜となっている。このことから飲食業など食材を提供する事業者が、主菜や副菜などを分けて盛り付けたい場合や内容物の混在を防ぎたい場合など、食材の提供する場面における利用可能性が期待される。また、皿の底面から少し盛り上がりがあることや個々の空間が複数に遮断されていることから、平面の皿よりも皿同士の密着がよく、バックヤードの面積が狭い場合などでは、皿を積み上げて収納することが容易である。
【符号の説明】
【００１１】１  平面空間を複数に遮断した皿
２  底面から少し盛り上げたことによる空間遮断線
３  平面空間を遮断できる程度に底面から少しの盛り上がり
【図１】
0003227553.tif 000003
【図２】
0003227553.tif 000004
(57)【要約】      （修正有）【課題】部品点数を低減して構造の簡素化および製造の容易化を図ることができる吹矢を提供する。【解決手段】円筒形の矢筒１０と、矢筒１０内にスライド可能に収容され、先端２１に磁石２２を有する矢２０と、を有する吹矢であって、矢２０は、矢筒１０の内径Ｄ３よりも小さな外径Ｄ２を有するストロー状の円筒体と、円筒体の先端内部に、先端２１を密に塞ぐように設けられた円板状ないし短円柱状の磁石２２とを有している。【選択図】図１
0003227585.tif 000002
【実用新案登録請求の範囲】
【請求項１】
円筒形の矢筒（１０）と、
この矢筒（１０）内にスライド可能に収容され、先端（２１）に磁石（２２）を有する矢（２０）と、
を有する吹矢であって、
前記矢（２０）は、
前記矢筒（１０）の内径（Ｄ３）よりも小さな外径（Ｄ２）を有するストロー状の円筒体（２３）と、
この円筒体（２３）の先端内部に、該先端（２１）を密に塞ぐように設けられた円板状ないし短円柱状の磁石（２２）と、
を有していることを特徴とする吹矢。
【考案の詳細な説明】
【技術分野】
【０００１】
本考案は、吹矢に関するものである。より詳しくは、矢の先端に磁石を設けた吹矢に関するものである。
【背景技術】
【０００２】
従来、例えば特許文献１、特許文献２に見られるように、円筒形の矢筒と、この矢筒内にスライド可能に収容され、先端に磁石を有する矢と、を有する吹矢が知られている。
【０００３】
しかしこれら吹矢の矢はいずれも、矢の先端に磁石とは別の部材を介在させて磁石を設ける構造であるため、部品点数が増大して構造が複雑化すると主に製造しにくいという難点を有している。
【先行技術文献】
【特許文献】
【０００４】
【特許文献１】実登3127809号公報
【特許文献２】実登3134627号公報
【考案の概要】
【考案が解決しようとする課題】
【０００５】
本考案が解決しようとする課題は、部品点数を低減して構造の簡素化および製造の容易化を図ることができる吹矢を提供することである。
【課題を解決するための手段】
【０００６】
上記課題を解決するために、本考案の吹矢は、
円筒形の矢筒と、
この矢筒内にスライド可能に収容され、先端に磁石を有する矢と、
を有する吹矢であって、
前記矢は、
前記矢筒の内径よりも小さな外径を有するストロー状の円筒体と、
この円筒体の先端内部に、該先端を密に塞ぐように設けられた円板状ないし短円柱状の磁石と、
を有していることを特徴とする。
【０００７】
この吹矢によれば、
矢が、矢筒の内径よりも小さな外径を有するストロー状の円筒体と、この円筒体の先端内部に、該先端を密に塞ぐように設けられた円板状ないし短円柱状の磁石とを有している構造であるので、円筒体の先端内部に、円板状ないし短円柱状の磁石を密に塞ぐように、例えば、接着、溶着、圧入（圧着）で直接設けることができる。
したがって、部品点数を低減して構造の簡素化および製造の容易化を図ることができる。
【図面の簡単な説明】
【０００８】
【図１】本考案に係る吹矢の実施の形態を示す図で、（ａ）は正面図、（ｂ）は矢筒の正面図、（ｃ）は矢筒の側面図、（ｄ）は矢の正面図、（ｅ）は矢の側面図、（ｆ）は矢の先端の拡大断面図。
【考案を実施するための形態】
【０００９】
以下、本考案に係る吹矢の実施の形態について図面を参照して説明する。なお、各図において、同一部分ないし相当する部分には、同一の符号を付してある。
【００１０】
図１に示すように、この実施の形態の吹矢１は、
円筒形の矢筒１０と、
この矢筒１０内にスライド可能に収容され、先端２１に磁石２２を有する矢２０とを有している。
【００１１】
矢２０は、
矢筒１０の内径Ｄ３よりも小さな外径Ｄ２を有するストロー状の円筒体２３と、
この円筒体２３の先端２１内部に、該先端２１を密に塞ぐように設けられた円板状ないし短円柱状の磁石２２とを有している。
【００１２】
この吹矢１は、図１（ａ）に示すように、矢筒１０内に矢２０を入れ、矢筒１０の後端１４から息を強く吹き入れることで、矢筒１０の先端１１から矢２０を図示しない磁性体（例えば鉄板）からなる的へ向けて矢印Ａ方向へ射出することができる。的に当たった矢２０はその磁石２２で的上に保持される。
【００１３】
この吹矢によれば、
矢２０が、矢筒１０の内径Ｄ３よりも小さな外径Ｄ２を有するストロー状の円筒体２３と、この円筒体２３の先端２１内部に、該先端２１を密に塞ぐように設けられた円板状ないし短円柱状の磁石２２とを有している構造であるので、円筒体２３の先端内部に、円板状ないし短円柱状の磁石２２を密に塞ぐように、例えば、接着、溶着、圧入（圧着）で直接設けることができる。
したがって、部品点数を低減して構造の簡素化および製造の容易化を図ることができる。
【００１４】
矢筒１０は公知の材料、例えば、飲料用ストロー等で構成することができる。長さは適宜設定でき、例えば、２０〜３０ｃｍ程度とすることができる。内径Ｄ３、外径Ｄ４も適宜設定でき、例えば、内径Ｄ３＝７．５ｍｍ、外径Ｄ４＝８ｍｍ程度とすることができる。
【００１５】
矢２０の円筒体２３も公知の材料、例えば、飲料用ストロー等で構成することができる。長さは適宜設定でき、例えば、１０〜１５ｃｍ程度とすることができる。内径Ｄ１、外径Ｄ２も適宜設定でき、例えば、内径Ｄ１＝５．５ｍｍ、外径Ｄ２＝６ｍｍ程度とすることができる。
【００１６】
磁石２２は上記の例の場合、外径は円筒体２３の外径Ｄ１と同一または、圧入できる程度に多少大径とする。磁石２２の長さは適宜設定でき、例えば３ｍｍ程度とすることができる。
【００１７】
以上、本考案の実施の形態について説明したが、本考案は上記の実施の形態に限定されるものではなく、本考案の要旨の範囲内において適宜変形実施可能である。
【符号の説明】
【００１８】
１：    吹矢
１０：    矢筒
２０：    矢
２１：    先端
２２：    磁石
２３：    円筒体
【図１】
0003227585.tif 000003
(57)【要約】      （修正有）【課題】ウイルスの感染予防の観点から安心して使用できるとともに、職員による清掃作業及び消毒作業を省略あるいは軽減できる幼児用机を提供する。【解決手段】脚フレーム１と、脚フレーム１に取り付けられた天板２からなる幼児用机であって、天板２は、芯材の両面を抗ウイルスメラミン樹脂化粧板で被覆した。また、脚フレーム１は、パイプ構造である。【選択図】図１
0003227584.tif 000002
【実用新案登録請求の範囲】
【請求項１】
脚フレームと、脚フレームに取り付けられた天板からなる幼児用机であって、該天板は、芯材の両面を抗ウイルスメラミン樹脂化粧板で被覆したことを特徴とする幼児用机。
【請求項２】
上記脚フレームは、パイプ構造であることを特徴とする請求項１に記載の幼児用机。
【考案の詳細な説明】
【技術分野】
【０００１】
本考案は、幼児用机に関する。
【背景技術】
【０００２】
保育園・幼稚園等では、幼児が使用した机の清掃を行ってきた。また最近では、ウイルスによる感染予防を意識して、職員による幼児用机の表面の消毒作業が行われている。
【０００３】
ところが、幼児が幼児用机を片付けたり、机の下にもぐって遊んだりする際に、幼児用机の天板の表面のみならず天板の裏面に触れる機会がある。また、幼児が汚れた手で無意識に机の裏面を触ることがある。
ウイルスによる集団感染防止のため、天板の表面の消毒作業に加えて天板の裏面の消毒作業が必要とされ、この作業が職員の負担となっている。
【０００４】
他方、耐熱性・耐水性・耐摩耗性に優れたメラミン樹脂化粧板が知られている。またこの性質を活かして芯材の表面をメラミン樹脂化粧板で覆った天板なども提案されている。（例えば、特許文献１ないし３参照）
さらに、ウイルスを不活性化する抗ウイルス性を付加したメラミン樹脂化粧板も販売されている。
【０００５】
このような背景から、幼児用机に対して、ウイルス感染予防の観点から、ウイルスを不活性化する抗ウイルス性のあるメラミン化粧板を採用することが考えられる。
【先行技術文献】
【特許文献】
【０００６】
【特許文献１】特開２００２−３０６２５１号公報
【特許文献２】特開２００４−３２２３２０号公報
【特許文献３】特開２００９−２９１４３０号公報
【考案の概要】
【考案が解決しようとする課題】
【０００７】
本考案は、ウイルスの感染予防の観点から安心して使用できるとともに、職員による清掃作業及び消毒作業を省略あるいは軽減できる幼児用机を提供することを課題とする。
【課題を解決するための手段】
【０００８】
本考案の上記課題を解決するための手段は、次のとおりである。
（１）脚フレームと、脚フレームに取り付けられた天板からなる幼児用机であって、該天板は、芯材の両面を抗ウイルスメラミン樹脂化粧板で被覆したことを特徴とする幼児用机。
（２）上記脚フレームは、パイプ構造であることを特徴とする上記（１）に記載の幼児用机。
【考案の効果】
【０００９】
本考案に係る幼児用机によれば、ウイルスを不活性化する抗ウイルスメラミン樹脂化粧板で芯材の両面を被覆した天板を採用したため、次のような効果が得られる。
（１）ウイルス感染予防の観点から安心して使用できる幼児用机が得られる。
（２）保育園・幼稚園等の職員による幼児用机の天板の清掃作業及び消毒作業を省略あるいは軽減できる。
【図面の簡単な説明】
【００１０】
【図１】本考案に係る幼児用机の正面図である。
【図２】本考案に係る幼児用机の天板の左端部付近の拡大側断面図である。
【考案を実施するための形態】
【００１１】
（実施例）
本考案に係る幼児用机を例示して、本考案について説明する。
図１は、本考案に係る幼児用机の正面図である。木製の脚フレーム１に天板２が取り付けられている。
【００１２】
実施例では、脚フレームは木製であるが、スチールパイプ製であってもよい。スチールパイプ製とすることにより、幼児用机の軽量化を図ることができる。
天板２は、芯材の両面を抗ウイルスメラミン樹脂化粧板で被覆した構造となっている。
【００１３】
図２は、天板２の左端部付近の拡大側断面図である。芯材３は、２０ｍｍ厚程度のパーティクルボード等からなっている。心材３は、軽量化のため必要に応じて、部分的に空洞化したり、ペーパーハニカム構造としている。
芯材３の両面は、０．９ｍｍ厚の抗ウイルスメラミン樹脂化粧板４で被覆している。抗ウイルスメラミン樹脂化粧板４と芯材との間には、図示していない、芯材と接着されたベニアなどが介在している。
図２において、芯材の端部には、エラストマー、ウレタン等からなるエッジ５が設けられている。
【００１４】
本考案に係る幼児用机は、芯材３の両面を抗ウイルスメラミン樹脂化粧板４で被覆した天板２を採用しているため、幼児が汚れた手で無意識に机の裏面を触ったりしても安心して使用できる。
また、無理な姿勢をとって天板の裏側迄消毒していた職員の消毒作業を省略あるいは軽減できる。
【００１５】
（本考案の技術的範囲）
本明細書に開示した実施例は、本考案の理解を容易にするために例示したものであって、本考案はこれに限定されない。
すなわち、本考案は、実用新案登録請求の範囲を逸脱しない限り、幼児用机について、適宜の設計変更が可能であることは言うまでもないことである。
【符号の説明】
【００１６】
１  脚フレーム
２  天板
３  芯材
４  抗ウイルスメラミン樹脂化粧板
５  エッジ
【図１】
0003227584.tif 000003
【図２】
0003227584.tif 000004
(57)【要約】      （修正有）【課題】チャイルドシートは構造上、手前の方に取り付けることが推奨されている。しかしその通りに取り付けると子供とサドルの距離が近くなり、サドルのスプリング部分で指を挟んで怪我をしてしまう恐れがある。そのような事故を簡単に、かつ低コストで防ぐことのできるスプリングカバーを提供する。【解決手段】一端に突起、もう一端に突起を差し込んで留める為の細長い穴がある可撓性を持ったプラスチックの板から成り、自転車サドルのスプリング部分に筒状に巻き付けて留めることで後方チャイルドシートに乗った子供がスプリング部分に指を挟む事故を防ぐ。【選択図】図１
0003227546.tif 000002
【実用新案登録請求の範囲】
【請求項１】
プラスチックの板から成り自転車サドルのスプリング部分に巻き付けることで、後方チャイルドシートに乗った子供がスプリング部分に指を挟む事故を防ぐことができるスプリングカバー。
【考案の詳細な説明】
【技術分野】
【０００１】
本考案は自転車サドルのスプリングカバーに関するものである。
【背景技術】
【０００２】
競技用の自転車を除いた一般的な自転車のサドル後部には衝撃吸収の為のスプリングが取り付けられている。
【考案の概要】
【考案が解決しようとする課題】
【０００３】
一般的な自転車サドルにおいて、衝撃吸収用のスプリングはほとんどの場合で用いられている。
【０００４】
しかし自転車の荷台部分にチャイルドシートを取り付けて子供を乗せた場合、そのスプリングが子供の怪我の原因になる恐れがある。
【０００５】
スプリングの幅は機種にもよるが平均１５０ｍｍ以上はあり、子供の指であれば簡単に入る様になっている。
【０００６】
またチャイルドシートは安全上、できるだけ手前のほうに取り付けた方が良いとされており実際にそのように取扱説明書に記載されていることも多い。その為必然的にサドルとチャイルドシートの距離は近くなり、子供がスプリングを触るのが容易になる。
【０００７】
しかし、スプリング自体は衝撃を緩和するものであるので当然衝撃に応じて縮む。このことから、チャイルドシートにのった子供がスプリングの隙間に指を入れている時に衝撃がきて指を挟んでしまう危険性がある。
【０００８】
本考案は以上のような危険な事象を回避し、安全にチャイルドシートの使用ができるようなスプリングカバーの提供を目的とした。
【課題を解決するための手段】
【０００９】
本考案にかかるスプリングカバーは折り曲げ可能なプラスチック板から成っている。
そのプラスチック板をスプリングに巻き付け、留める。
【考案の効果】
【００１０】
それによって子供はスプリングの隙間に指を差し込むことができなくなる為、指を挟める事故を未然に防ぐことができる。  
【００１１】
さらにスプリング全体を包み込むようになっている為、本来スプリングが持っている衝撃吸収性も損なわないようになっている。
【００１２】
素材は薄いプラスチックに簡単な加工を施したものであるので、生産コストも低い。取り付けにも自転車に関する特別な知識や技能を要しない。
【００１３】
以上からチャイルドシートに乗る子供がスプリング部分に指を挟めてしまう危険性を解消し、かつ自転車自体の走行にも影響を及ぼさず簡単に取り付けられコストもあまりかからないスプリングカバーの提供を可能にした。
【図面の簡単な説明】
【００１４】
【図１】スプリングカバー本体を示している。
【図２】図１のスプリングカバーを実際にサドルのスプリングに巻き付けているところを示す図である。
【考案を実施するための形態】
【００１５】
本考案のスプリングカバーは折り曲げ可能な柔軟性のあるプラスチック板から成り、それを巻き付けて留めるようになっている。
【００１６】
図面では留め方はプラスチック板の一端に薄い縦長の穴を開けて、もう一端に突起を設けてはめ込む様に留めるようにしているが、例えばスナップボタン等で留められるようにしても良い。
【００１７】
また、図では本考案のカバーは左右にある１対のスプリングを１個ずつ覆うようになっているが、板を長くして２個一緒に覆うことができるような仕様でも良い。
【図１】
0003227546.tif 000003
【図２】
0003227546.tif 000004
【手続補正書】
【提出日】令和2年6月2日(2020.6.2)
【手続補正１】
【補正対象書類名】実用新案登録請求の範囲
【補正対象項目名】全文
【補正方法】変更
【補正の内容】
【実用新案登録請求の範囲】
【請求項１】
一端に突起、もう一端に突起を差し込んで留める為の細長い穴がある可撓性を持ったプラスチックの板から成り、自転車サドルのスプリング部分に筒状に巻き付けて留めることで後方チャイルドシートに乗った子供がスプリング部分に指を挟む事故を防ぐことができるスプリングカバー。
(57)【要約】      （修正有）【課題】長下肢装具の歩行練習時に装着者と介助歩行を行う療法士がリアルタイムで確認することができるよう膝関節の角度を電子音で知らせるセンサを提供する。【解決手段】センサは、磁石により簡便に長下肢装具に取り付けられる。歩行中の長下肢装具の膝継手の関節角度をセンサ内のロータリスイッチにより検知することで、長下肢装具装着肢の膝関節屈曲１５度と屈曲３０度に可動した時点を異なる高さの電子音で知らせることができる。そのため、装着者と介助歩行を行う療法士がリアルタイムで膝関節の屈曲度を確認でき、正常歩行の膝関節の角度との相違を考慮しながら適切な介助や誘導を行うことで正常歩行に発揮される筋活動を促し、装具を使用することで生じる廃用性筋萎縮の危険性を防ぐことに役立つ。【選択図】図２
0003227545.tif 000002
【実用新案登録請求の範囲】
【請求項１】
磁石により簡便に長下肢装具に取り付けられ、膝関節の屈曲角度を電子音で知らせる長下肢装具用のセンサ。
【考案の詳細な説明】
【技術分野】
【０００１】  本考案は、長下肢装具に取り付け膝関節の屈曲角度を電子音で知らせるセンサである。
【背景技術】
【０００２】  長下肢装具は、脳卒中や脊髄損傷など下肢に重度の運動麻痺を呈することで、膝関節の体重支持性が得られない患者の歩行練習に多く用いられている。一方でＨｅｓｓｅらによれば、下肢装具により関節を固定してしまうことで筋活動が低下し長期的な使用から廃用性筋萎縮が生じる危険性を示唆している（非特許文献１）。また大畑によれば、脳卒中患者が長下肢装具を１ヶ月使用した後に大腿直筋とハムストリングスの筋活動が見られなくなり、長下肢装具の高い膝関節の固定性に依拠した運動を学習してしまう危険性があると報告している（非特許文献２）。これらの報告のように、装具には関節の固定により廃用性筋萎縮が生じる可能性があるが、装具処方時に膝関節を動かしながら歩行練習が可能な長下肢装具の膝継手を選択することもできる（特許文献１、２）。しかし、歩行練習中に装着者や装着者を後方より介助する療法士には膝関節の屈曲角度を見ることはできず、動画撮影により後で確認することはできても、リアルタイムに角度を確認することはできない。
【先行技術文献】
【特許文献】
【０００３】
【特許文献１】実開平０６‐００３３０９
【特許文献２】実全昭６３‐１６９１２９
【非特許文献】
【０００４】
【非特許文献１】Ｈｅｓｓｅ  Ｓ，Ｗｅｒｎｅｒ  Ｃ，Ｍａｔｔｈｉａｓ  Ｋ，ｅｔ  ａｌ．Ｎｏｎ−ｖｅｌｏｃｉｔｙ−ｒｅｌａｔｅｄ  ｅｆｆｅｃｔｓ  ｏｆ  ａ  ｒｉｇｉｄ  ｄｏｕｂｌｅ−ｓｔｏｐｐｅｄ  ａｎｋｌｅ−ｆｏｏｔ  ｏｒｔｈｏｓｉｓ  ｏｎ  ｇａｉｔ  ａｎｄ  ｌｏｗｅｒ  ｌｉｍｂ  ｍｕｓｃｌｅ  ａｃｔｉｖｉｔｙ  ｏｆ  ｈｅｍｉｐａｒｅｔｉｃ  ｓｕｂｊｅｃｔｓ  ｗｉｔｈ  ａｎ  ｅｑｕｉｎｏｖａｒｕｓ  ｄｅｆｏｒｍｉｔｙ．  Ｓｔｒｏｋｅ  １９９９；３０（９）：１８５５−１８６１
【非特許文献２】大畑光司．歩行獲得を目的とした装具療法長下肢装具の使用とその離脱．ＰＴジャーナル２０１９；５１（４）：２９１−２９９
【考案の概要】
【考案が解決しようとする課題】
【０００５】  長下肢装具を使用した歩行練習中に、長下肢装具装着肢の膝関節屈曲角度を装着者と介助歩行を行う療法士がリアルタイムで確認できるようにする。
【課題を解決するための手段】
【０００６】  本考案は、歩行中の長下肢装具の膝継手の関節角度を磁石で簡便に長下肢装具に取り付けられるセンサ（以下センサ）内のロータリスイッチにより検知することで、長下肢装具装着肢の膝関節の屈曲１５度と屈曲３０度に可動した時点を装着者と介助歩行を行う療法士に対して電子音で知らせる。
【考案の効果】
【０００７】  長下肢装具を使用した歩行練習中に、長下肢装具装着肢の膝関節屈曲角度を装着者と介助歩行を行う療法士がリアルタイムで確認できることにより、正常歩行の膝関節の角度との相違を考慮しながら療法士から適切な介助や誘導を行うことができ、正常歩行に発揮される筋活動を促すことで先行研究により示唆されている廃用性筋萎縮が生じる危険性を防ぐことに役立つ。
【図面の簡単な説明】
【０００８】
【図１】本考案のセンサの外観図である。
【図２】長下肢装具にセンサを取り付けた図である。
【考案を実施するための形態】
【０００９】  長下肢装具外側膝継手の軸の固定ネジに、センサ内のロータリスイッチの軸に固定されている円形の磁石に接触させ磁気により取り付ける。磁石には、固定ネジ頭部のマイナスの凹みにはまる１ｍｍ幅の鋼線が取り付けてあり、凹みにはまり込むことで磁石と固定ネジの滑りを防ぐ。センサの下部には長下肢装具の下腿部の支柱にはまり込むガイドがあり、下腿部の動きにセンサが追従する。電源スイッチを入れ長下肢装具の膝継手を可動させることで、膝関節が伸展位では無音、屈曲１５度で高い電子音、屈曲３０度で低い電子音を発する。正常歩行では対象肢の踵が床面に着く初期接地から対側の爪先が床面から離れるまでの荷重応答期に、対象肢の膝関節は約１５度屈曲する。その後に片足立ちになる立脚中期で膝関節は伸展方向へ可動して行く。荷重応答期にセンサからの高い電子音がすれば正常歩行に近い膝関節の角度であるが、低い電子音なら膝関節は屈曲し過ぎの状態にあることが確認できる。同様に無音であれば膝関節の屈曲角度が不足していることが確認できる。
【符号の説明】
【００１０】１  ロータリスイッチ
２  磁石
３  １ｍｍ鋼線
４  支柱ガイド
５  電源スイッチ
【図１】
0003227545.tif 000003
【図２】
0003227545.tif 000004
【手続補正書】
【提出日】令和2年5月2日(2020.5.2)
【手続補正１】
【補正対象書類名】実用新案登録請求の範囲
【補正対象項目名】全文
【補正方法】変更
【補正の内容】
【実用新案登録請求の範囲】
【請求項１】
長下肢装具の支柱にはまり込むガイドを有し、磁石により簡便に長下肢装具の膝継手に取り付けられ、膝関節の屈曲角度を電子音で知らせる長下肢装具用のセンサ。
(57)【要約】      （修正有）【課題】バスタブのお湯循環装置を提供する。【解決手段】肩や首にお湯を掛ける事で気分転換や疲れを癒すのが目的であり、掛けるお湯ｈはバスタブに張られたお湯に浮かべた電動汲み上げポンプでホースを通りヘッドシャワーの穴ｇから流れ落ちるもの。【選択図】図１
0003227081.tif 000002
【実用新案登録請求の範囲】
【請求項１】
バスタブのお湯循環装置、肩や首にお湯を掛ける事で気分転換や疲れを癒すのが目的、掛けるお湯はバスタブに張られたお湯に浮かべた電動くみ上げポンプでホースを通りヘッドシャワーの穴から流れ落ちるのを特徴とする循環装置。
【請求項２】
お湯を掛ける高さと穴の角度を調節する装置、突っ張り棒のバスタブに着いた所にシャワーヘッドと同じ太さのパイプを通しＬ型の継手は突き出た所にヘッドシャワーをゴムバンドで取り付けるＬ型継手は自由に上下可動継手パイプを挟みつける方式、ヘッドシャワーはゴムバンドなので３６０度穴の角度なのですきなところで止められるのを特徴とした循環装置。
【考案の詳細な説明】
【技術分野】
【０００１】      本考案は、お湯を送るポンプをバスタブのお湯に浮かべホースからヘッドシャワーを通り肩や首筋へお湯を落とす装置である。
【背景技術】
【０００２】従来の打たせ湯装置は風呂場やバスタブに工事などをして時間と費用が掛かり又バスタブ自身を取替など一度取り付けると変えることがむつかしい、裕福な人達だけが味わえる打たせ湯の癒の時間。
【先行技術文献】
【特許文献】
【０００３】
【特許文献１】実登３１０５３９３
【考案の概要】
【考案が解決しようとする課題】
【０００４】    バスタブと一体化している打たせ湯装置は経済的にも今備えているバスタブを取替る事が出来ないので諦めるしかない。従って打たせ湯装置だけをバスタブの端に取り付けて湯船のお湯を巡回して肩や首に流す事により前述の欠点を解決しようとするものである。
【課題を解決するための手段】
【０００５】  本考案は、お湯循環装置をバスタブの端と天井とを突っ張り棒を２本建て突っ張り棒の間にヘッドシャワーを渡し湯船に浮かべたポンプからホースを通りお湯をシャワーヘッドに送り肩や首に流す（打たせ湯）で問題点を解決している。
【考案の効果】
【０００６】  上述の様に、本考のお湯循環装置は経済的にも安価で広く癒されるであろうかと思います、取り外し取り付けが簡単にできる、ポンプは乾電池式で感電の心配もなく安心で安全でポンプは灯油ポンプをカスタマイズしてフロートに取り付けバスタブのお湯に浮かべて使用する。フロート付きポンプはバケツの底に穴をあけその中フロート付きポンプを入れてバケツ事湯船に浮かべて使用して終わればホースを外して簡単にかたずけられる
【図面の簡単な説明】
【０００７】
【図１】本考案のお湯循環装置とバスタブ、ポンプなど完成図である。
【図２】は打たせ湯装置を構成する部品図面である。
【考案を実施するための形態】
【０００８】お湯循環装置は漏電など電気での心配もなく取り付けるのも取り外すのも簡単にできフロート付ポンプをお湯浮かべてスイッチを入れると心地良い気分が味わえるであろうと考案した。
【実施例】
【００９】お湯循環装置はバスタブにフロートを付けたポンプａとｆからホーを通りヘッドシャワーｃにバタブのお湯を流すヘッドシャワーの高さは２本の突っ張り棒ｄを天井からバスタブに立ヘッドシャワーを渡しヘッドシャワーは突っ張り棒とヘッドシャワーの素材は樹脂のパイプで突っ張り棒は同じ太さパイプの継手ｉを使用して取り付ける。
【産業上の利用可能性】
【００１０】本考案の実施により家庭にあるバスタブやアパートのバスタブでも思ったその日から打たせ湯を簡単に体験でき気分転換が得られるでしょう。
【符号の説明】
【００１１】ａ  ポン
ｂ  ホース
ｃ  ヘッドシャワー
ｄ  突っ張り棒
ｅ  バスタブ
ｆ  フロート
ｇ  ヘッドシャワーの穴
ｈ  お湯
ｉ  突っ張り棒とヘッドシャワの継手
ｊ  天井
【図１】
0003227081.tif 000003
【図２】
0003227081.tif 000004
【手続補正書】
【提出日】令和1年9月20日(2019.9.20)
【手続補正１】
【補正対象書類名】実用新案登録請求の範囲
【補正対象項目名】全文
【補正方法】変更
【補正の内容】
【実用新案登録請求の範囲】
【請求項１】
バスタブのお湯循環装置であって、肩や首にお湯を掛ける事で気分転換や疲れを癒すのが目的であり、掛けるお湯はバスタブに張られたお湯に浮かべた電動汲み上げポンプでホースを通りヘッドシャワーの穴から流れ落ちるのを特徴とするお湯循環装置。
【請求項２】
バスタブの端に突っ張り棒を２本立て突っ張り棒の間にヘッドシャワー渡し、請求項１に記裁のお湯循環装置を用いて湯船のポンプでお湯がホースを通りヘッドシャワーに送られ肩や首に流す、ヘッドシャワーの高さは突っ張り棒２本に取り付けたＬ型の継手が上下できＬ型の継手の上に乗せたヘッドシャワーはゴムバンドで取り付けヘッドシャワーの穴の角度が好きな所に止めるのを特徴とした打たせ湯キット。
【手続補正書】
【提出日】令和1年11月29日(2019.11.29)
【手続補正１】
【補正対象書類名】実用新案登録請求の範囲
【補正対象項目名】全文
【補正方法】変更
【補正の内容】
【実用新案登録請求の範囲】
【請求項１】
バスタブのお湯循環装置であって、肩や首にお湯を掛ける事で気分転換や疲れを癒すのが目的であり、掛けるお湯はバスタブに張られたお湯に浮かべた電動汲み上げポンプでホースを通りヘッドシャワーの穴から流れ落ちるのを特徴とするお湯循環装置。
【請求項２】
バスタブの端に突っ張り棒を２本立て突っ張り棒の間にヘッドシャワーを渡し、請求項１に記裁のお湯循環装置を用いて湯船のポンプでお湯がホースを通りヘッドシャワーに送られ肩や首に流す打たせ湯キットであって、ヘッドシャワーの高さは突っ張り棒２本に取り付けたＬ型の継手が上下できＬ型の継手の上に乗せたヘッドシャワーはゴムバンドで取り付けヘッドシャワーの穴の角度が好きな所に止めるのを特徴とした打たせ湯キット。